(57)【要約】【課題】壁面フィルムの成形加工をしたり、ノッチやレーザー光照射によるハーフカットを設ける必要がなく、コスト的に安く製造することができる詰め替え用パウチを提供する。【解決手段】詰め替え用パウチ２０は、先細りの輪郭部を有する袋体２１からなり、袋体２１の内部には粘性内容物２２が収容され、袋体２１の先細りの輪郭部２４の一つの周囲のシール部２５はイージーピール性を有し、前記袋体２１を握ることにより粘性内容物２２を前記先細りの輪郭部２４の一つのほうに押しやり、そのとき押しやられた粘性内容物２２から受ける力を受けて前記シール部２５が凝集破壊又は層間剥離し、前記先細りの輪郭部２４が開口するように構成されている。【選択図】    図２
2007022588.tif 000002
【特許請求の範囲】
【請求項１】
先細りの輪郭部を有する袋体からなり、袋体の内部には粘性内容物が収容され、袋体の先細りの輪郭部の一つの周囲のシール部はイージーピール性を有し、前記袋体を握ることにより粘性内容物を前記先細りの輪郭部のほうに押しやり、そのとき押しやられた粘性内容物から受ける力を受けて前記シール部が凝集破壊又は層間剥離し、前記先細りの輪郭部が開口するように構成されていることを特徴とする詰め替え用パウチ。
【請求項２】
袋体が三角形に形成されていることを特徴とする請求項１に記載の詰め替え用パウチ。
【発明の詳細な説明】
【技術分野】
【０００１】
本発明は、粘性内容物を密封包装し、使用時に内容物を他の容器に移し替えて使用する詰め替え用パウチに関する。
【背景技術】
【０００２】
図１は、従来の詰め替え用パウチを示す。この詰め替え用パウチ１００は、スタンディングパウチ形式で形成され、上部の一コーナー部に、外周をヒートシールしてなる斜め方向に向く注出口部６が設けられ、その両側に切り欠き部７ａ、７ｂが設けられているものである。更にパウチ１００の少なくとも一方の壁面フィルム５に、注出口部６からその反対側のパウチ底部コーナー部寄りのところにかけて、注出口部６では幅と高さが大きく、斜め下方に向かって徐々に先細りとなり、下部では略一定の幅と高さになる曲線状の膨らみ部Ｃが形成されている。又、注出口部６にはノッチ１４と開封用切れ目線（レーザー光照射によるハーフカット線）９の組み合わせからなる易開封性手段が設けられている（特許文献１参照）。
【特許文献１】特開２０００−８５８０１号公報
【発明の開示】
【発明が解決しようとする課題】
【０００３】
しかしながら、特許文献１に記載の詰め替え用パウチは壁面フィルム５に膨らみ部Ｃの成形加工が必要であり、又、注出口部６にはノッチとレーザー光照射によるハーフカット線の組み合わせからなる易開封性手段が設けなければならず、その分コスト高になる。
本発明の課題は、壁面フィルムの成形加工をしたり、ノッチやレーザー光照射によるハーフカット線を設ける必要がなく、特許文献１に記載のものよりもコスト的に安く製造することができ、しかも手を汚さずに内容物の詰め替えをすることができ、壁面フィルムに膨らみ部がなくても内容物を殆ど取り出すことができる詰め替え用パウチを提供することである。
【課題を解決するための手段】
【０００４】
請求項１に記載の発明は、上記の課題を解決するもので、先細りの輪郭部を有する袋体からなり、袋体の内部には粘性内容物が収容され、袋体の先細りの輪郭部の一つの周囲のシール部はイージーピール性を有し、前記袋体を握ることにより粘性内容物を前記先細りの輪郭部のほうに押しやり、そのとき押しやられた粘性内容物から受ける力を受けて前記シール部が凝集破壊又は層間剥離し、前記先細りの輪郭部の一つが開口するように構成されていることを特徴とする詰め替え用パウチを要旨とする。
【０００５】
本発明の詰め替え用パウチによれば、イージーピール性シール部を有する先細りの輪郭部をボトルの口部に差込み、詰め替え用パウチを握ることにより粘性内容物を前記先細りの輪郭部のほうに押しやり、イージーピール性シール部を凝集破壊又は層間剥離させて先細りの輪郭部を開口させ、それによって手を汚さずに洗剤、シャンプー等の粘性内容物の詰め替えを行うことができる。
【０００６】
本発明において、詰め替え用パウチは三角袋の形状に形成するのが望ましい。又、本発明の詰め替え用パウチを、方形の一辺に三角形が連接された方形と三角形の複合形状に形成することも可能である。又、先細りの輪郭部の先端は必ずしも鋭角にする必要がなく、丸く形成してもよい。
【０００７】
本発明の詰め替え用パウチはカートン、プラスチック等からなる剛体の外装用容器内に収容して二重包装にすることが望ましい。これによって、輸送中、保管中或いは販売中に強い外力を受けて不意に開口することがを防ぐことができる。
【０００８】
又、本発明の詰め替え用パウチは、箱、カップ等に収容する、或いはスタンディングパウチ内に収容する等により、自立性を持たせた状態で包装することも可能である。
【０００９】
又、複数個の本発明の詰め替え用パウチを集積させて外装容器で包装することも可能である。
【発明の効果】
【００１０】
本発明の詰め替え用パウチは、先細りの輪郭部を有する袋体からなり、袋体の内部には粘性内容物が収容され、袋体の先細りの輪郭部の一つの周囲のシール部はイージーピール性を有し、前記袋体を握ることにより粘性内容物を前記先細りの輪郭部のほうに押しやり、そのとき押しやられた粘性内容物から受ける力を受けて前記シール部が凝集破壊又は層間剥離し、前記先細りの輪郭部が開口するように構成されているので、イージーピール性シール部を有する先細りの輪郭部をボトルの口部に差込み、詰め替え用パウチを握ることにより粘性内容物を前記先細りの輪郭部のほうに押しやり、イージーピール性シール部を凝集破壊又は層間剥離させて先細りの輪郭部を開口させ、それによって手を汚さずに洗剤、シャンプー等の粘性内容物の詰め替えを行うことができる。又、粘性内容物を絞り出すので高粘度の内容物でもパウチ内に粘性内容物が殆ど残らずに詰め替えを行うことができる。又、壁面フィルムの成形加工をしたり、ノッチやレーザー光照射によるハーフカット線を設ける必要がないので安価に製造することができる。又、従来の詰め替え用パウチに比べてパウチの壁面フィルムを大幅に薄くすることができる。
【発明を実施するための最良の形態】
【００１１】
図２、図３は本発明の詰め替え用パウチの実施の形態を示し、図２は平面図、図３は側面図である。
【００１２】
図２、図３に示す本発明の詰め替え用パウチの実施の形態においては、詰め替え用パウチ２０は、三角形の袋体２１からなり、この袋体２１の内部には粘性内容物２２が収容されている。袋体２１は、壁面フィルム２３を二枚重ね合わせ、周辺部をシールしてなるものである。又、三角形の袋体の一コーナー部（先細りの輪郭部）２４の周囲のシール部２５はイージーピール性を有し、前記袋体２１を握ることにより粘性内容物２２を前記コーナー部２４のほうに押しやり、そのとき押しやられた粘性内容物から受ける力を受けて前記シール部２５が凝集破壊又は層間剥離し、前記コーナー部が開口するように構成されているものである。
【００１３】
壁面フィルム２３は内層と外層の二層からなる。内層として使用するヒートシール性を有する樹脂フィルムについて説明すると、このようなフィルムとして、例えば、低密度ポリエチレン、中密度ポリエチレン、高密度ポリエチレン、線状（直鎖状）低密度ポリエチレン、ポリプロピレン、エチレン−酢酸ビニル共重合体、アイオノマー樹脂、エチレン−アクリル酸エチル共重合体、エチレン−アクリル酸共重合体、エチレン−プロピレン共重合体、メチルペンテンポリマー、その他の樹脂の一種乃至複数種の樹脂のフイルム乃至シートを使用することができる。そのフィルムの厚さは、５０μｍ以上、望ましくは１００μｍ以上、更に好ましくは１３０μｍ乃至５００μｍである。この内層として使用するフィルムは、外層として使用するフィルムに対して、約２乃至２０倍位の、好ましくは４乃至10倍位の厚さを有することが望ましい。本発明において、上記のような厚さのフィルムを使用することによって、フィルムの剛性、強度等を増し、強度に優れた樹脂のフィルムが有する物性等と相まって、パウチを構成したときに、パウチとしての姿勢維持性が良好となり、消費者の詰め替え作業が容易となり、更に流通過程での店頭での取り扱いが便利になるという利点を利点を有し、更には内層は粘性内容物の保香性等を保持するものである。ところで、本発明においては、上記のようなフィルムの中でも、特に、内層として使用するシートシール性を有するフィルムとしては、線状（直鎖状）低密度ポリエチレン又はエチレン−酢酸ビニル共重合体を主体とするフィルム乃至シートを使用することが最も好ましい。即ち、上記の線状（直鎖状）低密度ポリエチレン又はエチレン−酢酸ビニル共重合体を主体とするフィルム乃至シートは、粘着性を有することから、破断の伝搬が少なく耐衝撃性を向上させるという利点を有するものであり、又、内層は常時洗剤、シャンプー等に接触していることから、耐環境ストレスクラッキング製の劣化を防止するためにも有効なものである。
【００１４】
次に外層として使用する、剛性を有し、強度に優れた樹脂フィルムについて説明すると、このようなフィルムとしては、機械的性質、物理的性質、化学的性質等の優れた性質を有する樹脂のフィルム乃至シートを使用することができ、具体的には、例えば、ポリエステル系樹脂、ポリアミド系樹脂、ポリアラミド系樹脂、ポリプロピレン系樹脂、ポリカーボネート系樹脂、ポリアセタール系樹脂、フッ素系樹脂等の強靱な樹脂のフィルム乃至シートを使用することができる。而して、上記の樹脂のフィルム乃至シートとしては、未延伸フィルム、或いは一軸方向又は二軸方向に延伸した延伸フィルムの何れでも使用することができる。又、本発明において、樹脂のフィルム乃至シートの厚さは、強度、剛性等に関して必要最低限を保持することができる厚さであればよい。
【００１５】
コーナー部２４の周囲のイージーピール性シール部２５は壁面フィルム２３、２３と壁面フィルム２３、２３間に介在するイージーピール性付与層２６からなるものである。ここでイージーピール性付与層２６としては、例えばポリプロピレン／プロピレン−エチレン共重合体、ブロックポリプロピレン系コポリマー／ブロックポリプロピレン系コポリマーとポリエチレン系コポリマー又はポリブテン系コポリマーのブレンド物、ランダムポリプロピレン系コポリマー／ポリプロピレン／エチレン−酢酸ビニル共重合体、ポリエチレンと非晶性ポリスチレンのブレンド物、ポリオレフィン系樹脂とポリブテン−１ポリマーのブレンド物、ポリオレフィン／低密度ポリエチレン系接着層／エチレン−酢酸ビニル共重合体とポリブテン−１のブレンド物、ポリオレフィン／低密度ポリエチレン系接着層／エチレン−酢酸ビニル共重合体とポリプロピレンのブレンド物等が挙げられる。
【００１６】
又、イージーピール性シール部２５は、イージーピール性付与層２６を間に介在させずに、コーナー部２４のシール部２５のシール温度を下げて、コーナー部２４以外の部分の周囲のシール部のシール強度よりも低くして形成することもできる。
【００１７】
図４は、図２、図３に示す詰め替え用パウチを用いて洗剤、シャンプー等の詰め替えを行っている状態を示す。イージーピール性シール部２５を有するコーナー部２４をボトル２７の口部に差込み、詰め替え用パウチを握ることにより粘性内容物２２をコーナー部２４のほうに押しやり、イージーピール性シール部２５を凝集破壊又は層間剥離させてコーナー部２４を開口させ、それによって手を汚さずに洗剤、シャンプー等の粘性内容物２２の詰め替えを行うことができる。
【００１８】
又、粘性内容物を絞り出すので高粘度の内容物でもパウチ内に粘性内容物が殆ど残らずに詰め替えを行うことができる。
【００１９】
又、壁面フィルムの成形加工をしたり、ノッチやレーザー光照射によるハーフカット線を設ける必要がないので安価に製造することができる。又、従来の詰め替え用パウチに比べてパウチの壁面フィルムを大幅に薄くすることができる。
【００２０】
本発明の詰め替え用パウチ２０の形状は、図２、図３に示すような三角形に限定されず、例えば、図５に示すように方形の一辺に三角形が連接された方形と三角形の複合形状に形成することも可能である。
【００２１】
更に、図６に示すようにコーナー部の先端を鋭角にせずに、丸く形成することもできる。
【００２２】
本発明の詰め替え用パウチ２０はカートン、プラスチック等からなる剛体の外装用容器内に収容して二重包装にすることが望ましい。これによって、輸送中、保管中或いは販売中に強い外力を受けて不意に開口することがを防ぐことができる。
【００２３】
又、本発明の詰め替え用パウチ２０は箱、カップ等に収容する、スタンディングパウチ内に収容する等により、自立性を持たせた状態で包装することも可能である。
【００２４】
又、複数個の本発明の詰め替え用パウチ２０を集積させて外装容器で包装することも可能である。
【００２５】
本発明の詰め替え用パウチ２０には、図７に示すようなリングなどの絞り作業を助ける付属品２８を付けて販売し、この付属品２８を用いて詰め替え用パウチを絞り、詰め替えを行うようにしてもよい。
【実施例１】
【００２６】
壁面フィルムとしてＩＢＯＮ（シリカ蒸着ナイロン）１５μｍ／ＰＥ５０μｍを二枚ポリエチレン層が内側にくるように重ね合わせて、内容物充填口を残して、周囲をヒートシールし、図１に示すような三角形の詰め替え用パウチを形成した。但し、その場合、注出口となるコーナー部の周囲はポリエチレン層間にポリエチレンとポリブテン−１ポリマー層を介在させて、コーナー部以外の部分の周囲のシール部のシール強度よりもシール強度を低下させた。
【００２７】
このようにして形成した詰め替え用パウチ内に洗剤を充填し、その後充填口をヒートして洗剤入り詰め替え用パウチを形成した。
【００２８】
コーナー部をボトルの口部に差込み、その状態で詰め替え用パウチを握ることにより洗剤をコーナー部のほうに押しやり、コーナー部の周囲のシール部を凝集破壊又は層間剥離させてコーナー部を開口させ、それによって手を汚さずに洗剤の詰め替えを行うことができた。
【実施例２】
【００２９】
実施例１と同様にして、但し壁面フィルムとして、ＩＢＯＮ１５μｍ／ＰＥ５０μｍに代えてＯＮ１５μｍ／ＶＭ−ＰＥＴ（アルミニウム蒸着ＰＥＴ）１２μｍ／ＰＥ５０μｍを用いて、三角形の詰め替え用パウチを形成した。但し、その場合、注出口となるコーナー部の周囲はポリエチレン層間にポリエチレンとポリブテン−１ポリマー層を介在させて、コーナー部以外の部分の周囲のシール部のシール強度よりもシール強度を低下させた。
【００３０】
このようにして形成した詰め替え用パウチ内に洗剤を充填し、その後充填口をヒートして洗剤入り詰め替え用パウチを形成した。
【００３１】
コーナー部をボトルの口部に差込み、その状態で詰め替え用パウチを握ることにより洗剤をコーナー部のほうに押しやり、コーナー部の周囲のシール部を凝集破壊又は層間剥離させてコーナー部を開口させ、それによって手を汚さずに洗剤の詰め替えを行うことができた。
【産業上の利用可能性】
【００３２】
本発明の詰め替え用パウチは、洗剤、シャンプー等の粘性内容物の詰め替え用パウチとして活用することができる。
【図面の簡単な説明】
【００３３】
【図１】特許文献１に記載の詰め替え用パウチを示す平面図である。
【図２】本発明の詰め替え用パウチの平面図である。
【図３】図１に示す詰め替え用パウチの側面図である。
【図４】図１に示す詰め替え用パウチを用いてボトルに詰め替えを行っている状態を示す斜視図である。
【図５】本発明の詰め替え用パウチの他の実施の形態を示す平面図である。
【図６】本発明の詰め替え用パウチの更に他の実施の形態を示す平面図である。
【図７】本発明の詰め替え用パウチとリングなどの付属品の組み合わせを示す斜視図である。
【符号の説明】
【００３４】
２０        詰め替え用パウチ
２１        袋体
２２        粘性内容物
２３        壁面フィルム
２４        コーナー部
２５        イージーピール性シール部
２６        イージーピール性付与部
２７        ボトル
２８        付属品
１００      詰め替え用パウチ
６          注出口部
７ａ，７ｂ  切り欠き部
９          開封用切れ目線
１４        ノッチ
【図１】
2007022588.tif 000003
【図２】
2007022588.tif 000004
【図３】
2007022588.tif 000005
【図４】
2007022588.tif 000006
【図５】
2007022588.tif 000007
【図６】
2007022588.tif 000008
【図７】
2007022588.tif 000009